(57)【要約】【課題】従来の運搬用車両では、油圧ホースがトラクタのシャーシ上面側に配置され、油圧ホースが破損し易く、流出した作動油により環境汚染が成されるという問題があった。【解決手段】本発明の運搬用車両１では、トラクタ２の運転席側のシャーシ４側面から油圧ホース１５、１６が導出され、その油圧ホース１５、１６は、トレーラ３側の油圧駆動回路機構の接続機構１７に対して着脱可能である。そして、トレーラ３が駆動させる際に油圧ホース１５、１６は接続機構１７に装着され、トラクタ２の走行時等には、油圧ホース１５、１６は、油圧ホース収納ボックス１８内に収納される。この構造により、油圧ホース１５、１６の破損が防止され、作動油の流出を防止し、作動油による環境汚染を抑制できる。【選択図】図１
2011189755.tif 000002
【特許請求の範囲】
【請求項１】
エンジンにて自走可能なトラクタと、
前記トラクタにより牽引されるトレーラと、
前記トレーラを駆動させる油圧駆動回路機構と、
前記トラクタ側に配置され、前記油圧駆動回路機構に供給される作動油を貯留する作動油タンクと、
前記トラクタ側に配置され、前記作動油タンク内の作動油を吸い込み、圧力を加えた前記作動油を前記油圧駆動回路機構へ供給する油圧ポンプと、
前記トラクタ側に配置され、前記油圧ポンプからの前記作動油が流れ、その先端にカップラーが取り付けられる着脱可能な油圧ホースとを有し、
前記油圧ホースは、前記トラクタのシャーシの側面から導出し、前記シャーシの側面近傍に配置される前記トレーラの前記油圧駆動回路機構の接続機構に対して、前記トレーラを駆動させるときに前記油圧ホースが装着されることを特徴とする運搬用車両。
【請求項２】
前記接続機構には、前記油圧ホースに取り付けられたカップラーと着脱可能はカップラーが取り付けられ、
前記接続機構に設けられた油圧制御弁により、前記接続機構のカップラーに加わる前記作動油の油圧が調整されることを特徴とする請求項１に記載の運搬用車両。
【請求項３】
前記接続機構には、前記油圧制御弁を動作させるときに排出される前記作動油を貯留する作動油貯留機構が接続されることを特徴とする請求項２に記載の運搬用車両。
【請求項４】
前記油圧ホースが導出する側の前記トラクタのシャーシの下面には油圧ホース収納ボックスが配置され、前記トラクタの走行時には、前記油圧ホースは、前記油圧ホース収納ボックス内に収納されることを特徴とする請求項１から請求項３のいずれか１項に記載の運搬用車両。
【発明の詳細な説明】
【技術分野】
【０００１】
本発明は、トラクタと、トラクタにより牽引されるトレーラとの油圧経路の破損を防止し、作動油漏れによる環境汚染を防止する運搬用車両に関する。
【背景技術】
【０００２】
従来の運搬用車両の一実施例として、下記の構造が知られている。図６（Ａ）は、運搬用車両を説明する側面図である。図６（Ｂ）は、運搬用車両を説明する上面図である。
【０００３】
図６（Ａ）に示す如く、運搬用車両５１は、主に、トラクタ５２と、トラクタ５２により牽引されるトレーラ５３とから構成される。トラクタ５２のシャーシ５４の前方部分に運転台５５が設けられ、シャーシ５４には複数の車輪５６、５７が取り付けられる。そして、車輪５６、５７は、エンジンと連結し、運転台５５内での運転手の操作により回転し、トラクタ５２は、自力走行が可能となる。
【０００４】
一方、トレーラ５３のシャーシ５８上には荷台５９が配置され、シャーシ５８には複数の車輪６０、６１が、回転可能な状態にて取り付けられる。トレーラ５３のシャーシ５８は、トラクタ５２のシャーシ５４上に配置されたカプラ機構６２に連結される。そして、トレーラ５３は、トラクタ５２に牽引され、トラクタ５２と共に走行する。
【０００５】
また、トラクタ５２のシャーシ５４下面には作動油タンク（図示せず）が設けられ、作動油タンク内の作動油は、油圧ホース６３を介してトレーラ５３側のシャーシ５８に配設された油圧駆動回路機構（図示せず）へと供給される。そして、トラクタ５２側の油圧ポンプ等を駆動させ、油圧駆動回路機構に圧油を供給し、トレーラ５３側ではその圧油を利用して油圧シリンダ等が駆動し、シャーシ５８や荷台５９等が可動自在に操作される。
【０００６】
図６（Ｂ）に示す如く、トラクタ５２によりトレーラ５３を牽引する運搬用車両５１では、直進方向から左右方向に旋回する際には、先ず、トラクタ５２が、進行方向へと旋回した後、遅れてトレーラ５３がその進行方向へと旋回する。そして、トラクタ５２とトレーラ５３との内輪差等の違いにより、運搬用車両５１の旋回時のトラクタ５２とトレーラ５３との離間幅Ｗ２は、直進時のトラクタ５２とトレーラ５３との離間幅Ｗ１よりも広くなる。この構造により、油圧ホース６３は、トレーラ５３側の接続部から離脱することを防止するため、トラクタ５２とトレーラ５３との最大の離間幅に対応するように、油圧ホースの長さが設計される（例えば、特許文献１参照。）。
【先行技術文献】
【特許文献】
【０００７】
【特許文献１】特開２００８−１３４４５７号公報（第３−５頁、第１−２図）
【発明の概要】
【発明が解決しようとする課題】
【０００８】
前述したように、油圧ホース６３は、その最大の離間幅よりも長くなるため、油圧ホース６３の一部は、トラクタ５２のシャーシ５４上面に載置された状態にて、運搬用車両５１は走行する。また、運搬用車両５１の左右両方向への旋回に対応するため、図６（Ｂ）の丸印６４にて示すように、油圧ホース６３は、トレーラ５３の中央領域にて接続される。
【０００９】
図示したように、トレーラ５３は、トラクタ５２のカプラ機構６２に連結するため、トレーラ５３の前方側は、トラクタ５２のシャーシ５４上方に配置される。そして、トレーラ５３とトラクタ５２のシャーシ５４上面側との間には、少なくともカプラ機構６２分のスペースが形成される。そして、油圧ホース６３の一部が、前述したスペース内に入り込んだ状態にて運搬用車両５１が走行することで、運搬用車両５１が路面状況等に応じて上下方向に動揺した際に、油圧ホース５３が、トレーラ５３とシャーシ５４とにより挟まれ、トレーラ５３側からの荷重に耐え切れず破損する事故が発生する。また、前述したスペース内に油圧ホース６３の一部を挟み込みながら運搬用車両５１が旋回することで、同様に、油圧ホース６３が破損する事故が発生する。また、運搬用車両５１の急停止時にも、トレーラ５３がトラクタ５２側へと突っ込みながら停止するため、トレーラ５３の先端側に荷重が集中し、同様に、油圧ホース６３が破損する事故が発生する。これらの破損事故に伴い、路面や荷物の集積用プール等に、油圧ホース６３内の作動油が多量に流れ出し、側溝等を介して下水道や河川に流れ込み、環境悪化を招くという問題が発生する。また、運搬用車両５１が、港の集積場にて同様な破損事故を起した場合には、作動油が海へ流れ込み、環境悪化を招くという問題が発生する。
【００１０】
一方、運搬用車両５１の使用者側では、前述した油圧ホース６３の破損事故に備えて、作動油吸着シート等を常備する必要がある。また、前述した油圧ホース６３の破損事故は、油圧ホース６３の劣化状況にあまり関係なく、新品な油圧ホースを用いた場合でも発生する。そして、前述した油圧ホース６３の破損事故が発生する都度、油圧ホースや作動油吸着シート等を購入する必要があり、コストが嵩張るという問題が発生する。そして、前述した油圧ホース６３の破損事故は、かなりの頻度で発生しており、環境面からもコスト面からも早急な対応が求められている。
【００１１】
また、トレーラ５３に車両、建設機器、液体燃料等の荷物を積載した状態では、トレーラ５３側の重量が重くなり、トレーラ５３が、トラクタ５２のシャーシ５４上面側へと沈み込んだ状態にて連結されるため、両者間のスペースが少なくなる。そのため、走行時等のトレーラ５３側の油圧駆動機構を操作しない間だけでも、油圧ホース６３をトレーラ５３側から取り外すことも考えられる。しかしながら、油圧ホース６３をトレーラ５３側に着脱する作業では、接続部に加わる作動油の油圧を弱めるため工具を使用するが、前述した限られたスペースでは、その作業が困難となる。その結果、油圧ホース６３の着脱作業には多大な時間を要し、作業効率も悪く、更に、作業員は、着脱作業の領域を確保するためトラクタ５２の下に潜り込む必要があり、作業員の安全性の観点からも実際の現場では行われていないという実情がある。また、接続部に加わる作動油の油圧を弱める際に、作動油が漏れ出してしまうという問題がある。
【課題を解決するための手段】
【００１２】
前述した各事情に鑑みて成されたものであり、本発明の運搬用車両では、エンジンにて自走可能なトラクタと、前記トラクタにより牽引されるトレーラと、前記トレーラを駆動させる油圧駆動回路機構と、前記トラクタ側に配置され、前記油圧駆動回路機構に供給される作動油を貯留する作動油タンクと、前記トラクタ側に配置され、前記作動油タンク内の作動油を吸い込み、圧力を加えた前記作動油を前記油圧駆動回路機構へ供給する油圧ポンプと、前記トラクタ側に配置され、前記油圧ポンプからの前記作動油が流れ、その先端にカップラーが取り付けられる着脱可能な油圧ホースとを有し、前記油圧ホースは、前記トラクタのシャーシの側面から導出し、前記シャーシの側面近傍に配置される前記トレーラの前記油圧駆動回路機構の接続機構に対して、前記トレーラを駆動させるときに前記油圧ホースが装着されることを特徴とする。
【発明の効果】
【００１３】
本発明では、トラクタのシャーシ側面から導出する油圧ホースが、着脱可能となり、運搬用車両の走行時に油圧ホースを離脱することで、油圧ホースの破損事故が防止され、作動油の流出による環境汚染が抑止される。
【００１４】
また、本発明では、トレーラ側の油圧駆動回路機構の接続機構に油圧制御弁が配置され、その接続部への油圧が調整され、油圧ホースの着脱の作業性が向上される。
【００１５】
また、本発明では、トレーラ側の油圧駆動回路機構の接続機構に作動油貯留機構が配置され、油圧制御弁を動作させる際に排出させる作動油の車外へ流出が防止され、環境汚染が抑止される。
【００１６】
また、本発明では、離脱した油圧ホースが、トラクタ側の油圧ホース収納ボックス内に収納されることで、油圧ホースの耐久性条件が緩和され、油圧ホースの取り扱いが向上し、また、油圧ホースに掛かるコストが低減される。
【００１７】
また、本発明では、油圧ホースの長さが、従前の油圧ホースの長さと比較して大幅に短縮され、その重量も軽くなる。油圧ホースには、運搬用車両の走行時に荷重が加わらず、油圧ホースの強度条件が大幅に緩和され、柔軟性に富む油圧ホースが使用できるので、その使用性が大幅に向上される。
【図面の簡単な説明】
【００１８】
【図１】本発明の実施の形態における運搬用車両を説明するための側面図である。
【図２】本発明の実施の形態における運搬用車両を説明するための（Ａ）斜視図、（Ｂ）斜視図である。
【図３】本発明の実施の形態における運搬用車両を説明するための油圧駆動回路機構の概略図である。
【図４】本発明の実施の形態における運搬用車両を説明するための（Ａ）斜視図、（Ｂ）概略図、（Ｃ）概略図である。
【図５】本発明の実施の形態における運搬用車両を説明するための（Ａ）斜視図、（Ｂ）概略図、（Ｃ）概略図である。
【図６】従来の実施の形態における運搬用車両を説明するための（Ａ）側面図、（Ｂ）上面図である。
【発明を実施するための形態】
【００１９】
以下に、本発明の一実施の形態である運搬用車両について説明する。図１は、複数の自動車を積載し、運搬する運搬用車両を説明する側面図である。図２（Ａ）及び（Ｂ）は、図１に示す運搬用車両のトラクタを説明するための斜視図である。図３は、トレーラを可動させる油圧駆動回路機構を説明するための概略図である。図４（Ａ）は、図１に示す運搬用車両のトレーラ側に配置される接続機構を説明するための斜視図である。図４（Ｂ）及び（Ｃ）は、接続機構を説明するための概略図である。図５（Ａ）は、図１に示す運搬用車両のトレーラ側に配置される接続機構を説明するための斜視図である。図５（Ｂ）及び（Ｃ）は、接続機構を説明するための概略図である。尚、以下の説明では、油圧配管とは、作動油が流れる鋼管のことをいい、油圧ホースとは、作動油が流れる長い中空円筒であり、例えば、樹脂、ゴム、ナイロン等を使用し、可撓性を有する管のことをいう。
【００２０】
図１に示す如く、運搬用車両１は、主に、エンジン駆動によって自走可能なトラクタ２と、トラクタ２により牽引されるトレーラ３とを有する。トラクタ２のシャーシ４の前方部分には運転台５が設けられ、運転台５下方のシャーシ４には、操舵可能な左右一対の前輪６が配置される。また、シャーシ４の後方部分にはカプラ装置７が設けられ、カプラ装置７下方のシャーシ４には、駆動力発生可能な左右一対の後輪８が配置される。後輪８は、例えば、デファレンシャル部を備えた車軸の両端に接続され、トラクタ２に配置されたエンジンの駆動力を利用して回転する。
【００２１】
トレーラ３は、例えば、自動車運搬用として用いられる。トレーラ３は、主に、後部フロア９と、前部フロア１０と、可動フロア１１、１２等から構成され、可動フロア１１、１２を昇降させることで、トレーラ３に複数の搬送用自動車が積載される。具体的には、前部フロア１０は、後部フロア９の前方に配置され、後部フロア９よりも床面が高くなる。可動フロア１１は、油圧シリンダ１２ａ等と連結し昇降自在な構造であり、運搬用自動車が後部フロア９から前部フロア１０へと乗り込むために利用される。そして、可動フロア１２は、油圧シリンダ１２ａ等と連結し昇降自在な構造であり、トレーラ３の２階の床面を構成し、搬送用自動車が運搬用車両１の高さ方向に重ねて積載される。
【００２２】
また、トレーラ３の後方部分には、左右一対の後輪１３が配置され、後輪１３は、例えば、デファレンシャル部を備えた車軸の両端に接続される。そして、トレーラ３の前方部分には、図示していないが、トラクタ２のカプラ装置７と連結するピン連結部が配置され、トレーラ３がトラクタ２に連結することで、トラクタ２の後輪８は、トレーラ３の前輪として利用される。
【００２３】
図１は、運搬用車両１の運転席（右側面）側からの側面図であるが、丸印１４にて示す領域には、トラクタ２側に配置された油圧ホース１５、１６が、トレーラ側に配置された油圧駆動回路機構の接続機構１７に着脱自在に接続できる機構が配置される。詳細は後述するが、油圧ホース１５、１６は、トレーラ３を可動させる際に、トレーラ３側の接続機構１７に装着される。そして、運搬用車両１の走行時等、トレーラ３を可動させる必要のない状況では、油圧ホース１５、１６は、トラクタ２側に配置された油圧ホース収納ボックス１８内に収納されることで、課題の欄にて記載した諸問題が解決される。また、接続機構１７が、油圧ホース１５、１６が導出する側面と同一側面側であり、その上方に配置されることで、油圧ホース１５、１６の長さを短くすることが可能となる。また、トレーラ３側には、接続機構１７に油圧ホース１５、１６を着脱する際に排出される作動油を貯留する収納サブタンク１９が配置される。この構造により、作業者は、運搬用車両１側面側の広い作業領域にて油圧ホース１５、１６の着脱作業を行うことができ、油圧ホース１５、１６の装着時に後述する油圧制御弁を用いることなく、油圧ホース１５、１６を装着出来る場合もある。この場合には、油圧制御弁を動作させることで作動油が排出されることを防止できる。
【００２４】
尚、本実施の形態では、トレーラ４に搬送用自動車を積載する際に可動フロア１１、１２等を可動させるための油圧駆動回路機構を説明する。そのため、以下の説明では、その他、運搬用車両１のブレーキ用の油圧回路機構、カプラ装置を可動させる油圧回路機構や可動フロア１１、１２を制御する昇降スイッチの電子制御回路等は、従前の機構と同様であり、その説明は省略する。
【００２５】
図２（Ａ）に示す如く、運転台５の後方部のシャーシ４には、その上面を覆うようにプラットホーム２０が形成される。プラットホーム２０は、鉄板等の金属板により形成され、プラットホーム２０の表面側には、油圧ホースや油圧配管が配置されない。そして、図示していないが、プラットホーム２０の裏面側には、作動油が貯留された作動油タンク、運搬用車両１のエンジンにより駆動する油圧ポンプ、油圧配管及び油圧ホースが配置される。
【００２６】
図示したように、トラクタ２の運転席側のプラットホーム２０の裏面側には油圧ホース収納ボックス１８が配置され、油圧ホース収納ボックス１８内には、油圧ホース１５、１６が収納される。そして、運搬用車両１の走行時等、トレーラ３を可動させる必要の無い状況では、油圧ホース１５、１６は、油圧ホース収納ボックス１８内に収納される。このとき、油圧収納ボックス１８の開閉蓋が開き、油圧ホース１５、１６が油圧収納ボックス１８から導出した状態では、例えば、運転席のハンドル近傍に配置された警告ランプが赤く点灯する。一方、図示したように、油圧ホース１５、１６が、油圧収納ボックス１８内に収納され、開閉蓋が閉じた状態では警告ランプが消灯する。この構造により、油圧ホース１５、１６が、車外に放置された状態にて走行することが防止され、走行時に油圧ホース１５、１６が破損し、作動油が車外へと流出することが防止される。尚、警告ランプ換えて警告音にて、前述した油圧収納ボックス１８の開閉蓋の状態を運転手に知らせる場合でも良い。
【００２７】
一方、図２（Ｂ）に示す如く、トレーラ３に搬送用自動車を搬入し搬出する等、トレーラ３を可動させる際には、油圧ホース収納ボックス１８から油圧ホース１５、１６を取り出し、トレーラ３側の油圧駆動回路機構の接続機構１７に装着させる。そして、油圧ホース１５、１６の先端部には、従来から用いられるセルフシール型の高圧流体用のカップラー２１、２２が接続され、接続機構１７から油圧ホース１５、１６を外した際に、油圧ホース１５、１６から作動油が流出することが防止される。
【００２８】
この構造により、油圧ホース１５、１６は、トレーラ３を可動させる必要の無い状況では、油圧ホース収納ボックス１８内に収納され、運搬用車両１外に載置されない。従前の構造に使用される油圧ホースは、常時、運搬用車両１の車外へと載置された状況にて使用されるため、油圧ホースには、紫外線や摩耗等による劣化防止加工が施される必要があった。更に、油圧ホースは、走行時の振動や旋回動作時等に、トラクタ２やトレーラ３と接触するため、破損防止のために一定の強度を有する必要があった。そのため、従前に使用される油圧ホースは、金属層が編み込まれた層を有する複数層から成り、製品価格が高く、油圧ホース自体も硬く、重いものであった。
【００２９】
しかしながら、本実施の形態にて使用される油圧ホース１５、１６は、少なくとも作動油へ加えられる圧力に耐えうる強度を有していれば良く、前述した紫外線や摩耗等に対する耐久性の条件が緩和される。そのことで、油圧ホース１５、１６としては、例えば、樹脂やゴム等から成り、可撓性に富んだ、軽い製品を使用することが可能となり、着脱時や収納時の取り扱いが容易となり、その作業性が向上される。また、前述した理由により、使用上の安全性が悪化することなく、油圧ホース１５、１６の製品コストも大幅に低減される。
【００３０】
ここで、図３では、トレーラ３を可動させる油圧駆動回路機構の概略図を示し、一点鎖線２３はトラクタ２の領域を示し、二点鎖線２４はトレーラ３の領域を示す。図示したように、トラクタ２のプラットホーム２０の裏面側では、作動油タンク２５と油圧ポンプ２６とが油圧配管２７にて接続され、運搬用車両１のエンジンを利用し油圧ポンプ２６を駆動させると、作動油タンク２５内の作動油が、油圧配管２７を通じて油圧ポンプ２６へと吸い込まれる。油圧ポンプ２６にて高圧が加えられた作動油は、油圧ポンプ２６と接続した油圧配管２８及び油圧配管２８の先端に接続された油圧ホース１５へと流れ込む。そして、油圧ホース１５が、トレーラ３側の油圧駆動回路機構の接続機構１７に装着されることで、トレーラ３側の油圧配管２９へと作動油が回遊する。トレーラ３側の油圧駆動回路機構では、油圧配管２９がトレーラ３に対して環状に配置され、油圧配管２９の所望の領域には油圧シリンダ１２ａ（図１参照）が接続され、高圧が加えられた作動油を利用することで、油圧シリンダを可動させ、可動フロア１１、１２が昇降し、トレーラ３に搬送用自動車を搬入し、搬出することが可能となる。
【００３１】
一方、油圧ホース１６は、トレーラ３側の油圧駆動回路機構の接続機構１７に装着されることで、トレーラ３側の油圧配管２９から作動油が流れ込む。そして、油圧ホース１６と接続された油圧配管３０は、作動油タンク２５と接続し、作動油は作動油タンク２５内に収容される。
【００３２】
この構造により、図６（Ａ）及び（Ｂ）に示す従前の構造のように、油圧ホース１５、１６が、トラクタ２のプラットホーム２０表面に配置されない構造が実現される。特に、運搬用車両１の走行時において、油圧ホース１５、１６が、トラクタ２のプラットホーム２０表面とトレーラ３とのスペースに入り込むことがなく、油圧ホース１５、１６が、トレーラ側からの荷重に耐え切れず破損することはない。その結果、油圧ホース１５、１６が破損し、作動油が、路面、荷物の集積用プール等に多量に流れ出し、側溝等を介して下水道、河川や海に流れ込むこともなく、作動油により環境悪化を招くという問題が解消される。更に、油圧ホース１５、１６の破損が防止されることで、油圧ホース、作動油吸着シート等の使用量が大幅に低減し、その購入コストも大幅に低減される。
【００３３】
また、油圧配管２７、２８、３０が、プラットホーム２０の裏面側に溶接接続され、走行時等のトレーラ３と接触することはなく、トレーラ３の荷重により破損されることが無くなる。油圧配管２８、３０が、トレーラ３の下面のプラットホーム２０まで配置され、更に、油圧ホース収納ボックス１８内まで配置される。そして、油圧配管２８、３０の先に接続される油圧ホース１５、１６は、トレーラ３側の油圧駆動回路機構の接続機構１７へと接続出来る長さだけで良く、油圧ホース１５、１６の長さが大幅に短縮され、作業性が向上し、コストも大幅に削減される。
【００３４】
尚、詳細は図４及び図５を用いて後述するが、油圧駆動回路機構の接続機構１７には油圧ホース３１、３２等を介して収納サブタンク１９が接続され、収納サブタンク１９は、トレーラ３の空きスペースを利用して配置される。また、収納サブタンク１９には、目視にて作動油の収納量を計測する窓やメーター等が配置され、随時、収納サブタンク１９内に貯留された作動油は、手動や自動にて作動油タンク２５内へと戻すことが出来る。
【００３５】
図４（Ａ）に示す油圧駆動回路機構の接続機構１７には、トラクタ２側からの作動油が流れ込む油圧配管３３と、トラクタ２側へと作動油を送り出す油圧配管３４とが配設される。油圧配管３３、３４の先端には、従来から使用されるセルフシール型の高圧流体用のカップラー３５、３６が取り付けられ、油圧配管３３、３４から油圧ホース１５、１６を離脱した際に、油圧配管３３、３４から作動油が流出することが防止される。そして、油圧配管３３は、油圧ホース１５と着脱可能となり、例えば、油圧ホース１５に取り付けされたカップラー２１は凸型のノーズ形状であり、油圧配管３３に取り付けられたカップラー３５は、前述したノーズ型が挿入される凹型のボーディ形状となる。同様に、油圧配管３４は、油圧ホース１６と着脱可能となり、例えば、油圧ホース１６に取り付けされたカップラー２２は凸型のノーズ形状であり、油圧配管３４に取り付けられたカップラー３６は凹型のボーディ形状となる。
【００３６】
また、油圧駆動回路機構の接続機構１７には、油圧ホース１５、１６の着脱時に排出される作動油が流れ込む油圧配管３７、３８が配置される。油圧配管３７、３８側には、例えば、９０度回転する手動レバー３９、４０が取り付けられ、手動レバー３９、４０により油圧配管２９、３３、３４を流れる作動油の流れが制御される。
【００３７】
図４（Ｂ）及び（Ｃ）に示すように、接続機構１７内には、油圧制御弁４１が設けられ、油圧制御弁４１が手動レバー３９に連動して回動することで、油圧配管２９、３３、３７内の作動油の流れが制御される。
【００３８】
先ず、図４（Ｂ）は、トレーラ３側の油圧配管２９に作動油が送り込まれる状況を示す。油圧配管２９、３３、３７は、三股に分かれる金属継手４２を介して接続され、図４（Ｂ）に示す状況では、油圧制御弁４１の通路４３を介して油圧配管２９、３３が通じることで、作動油はトレーラ３側へと流れ込む。そして、この状態では、実質、油圧配管３７に作動油が排出されない。尚、金属継手４２には、回動する油圧制御弁４１と通路４３との間に隙間４３ａ、４３ｂが配置されることで、油圧制御弁４１の回動時の作動油の漏れがより防止され易くなる。
【００３９】
一方、図４（Ｃ）は、トレーラ３側への作動油の流れを防ぎ、作動油の一部が、油圧配管３７及び油圧ホース３１を介して収納サブタンク１９へと流れ込む状況を示す。手動レバー３９を９０度回動させることで、金属継手４２内の油圧制御弁４１が連動して回動し、油圧配管３３、３７は、油圧制御弁４１の通路４３を介して通じる。そして、油圧配管３３及び油圧制御弁４１の通路４３内に残留した作動油は、油圧配管３７へと流れ込む。油圧配管３７へと流れ込んだ作動油は、油圧ホース３１を介して収納サブタンク１９内に貯留されることで、運搬用車両１外へと流れ出すことが防止され、前述したように作動油により下水道、河川や海の環境悪化を招くことはない。
【００４０】
この構造により、油圧配管３３のカップラー３５に加わる油圧が無くなり、油圧ホース１５の着脱が容易に行われる。特に、再び、油圧ホース１５を油圧配管３３へと装着する際、油圧配管３３の作動油に残圧が残ることで、油圧ホース１５のカップラー２１をカップラー３５へと押し込むことは困難である。また、夏場のように、油圧配管３３、３４、２９が温められ、作動油が膨張し、残圧以上の圧力が、油圧配管３３のカップラー３５に加わると、より油圧ホース１５のカップラー２１をカップラー３５へと押し込むことは困難である。そこで、油圧制御弁４１により油圧を調整することで、その作業性が大幅に向上され、排出される作動油が車外へと漏れることもない。また、油圧配管３３内の作動油が、収納サブタンク１９へと流れ込むことで、油圧ホース１５の離脱時に、仮に、油圧配管３３のカップラー３５が壊れた場合でも、作動油が運搬用車両１外へと流れ出すことが防止される。
【００４１】
尚、作動油が、トレーラ３側からトラクタ２側へ流れ込む流路においても、油圧配管２９、３４、３８、金属継手及び手動レバー４０に連動する油圧制御弁により同様な機構が構成されている。
【００４２】
図５（Ａ）〜（Ｃ）に示す油圧駆動回路機構の接続機構１７は、図４（Ａ）〜（Ｃ）に示す油圧駆動回路機構の接続機構１７とは、油圧配管２９、３３、３４を流れる作動油を調整する油圧制御弁の機構が異なる。そのため、以下の説明では、構造上異なる機構を説明し、その他の機構には図４（Ａ）〜（Ｃ）に示す符番と同一の符番を付し、その説明を参照する。
【００４３】
図５（Ａ）に示す如く、油圧駆動回路機構の接続機構１７には、複数の油圧配管２９、３３、３４、３８が配設される。そして、油圧配管３７、３８側には、例えば、回転する手動ネジ４４、４５が取り付けられ、手動ネジ４４、４５を回転させることで、油圧配管２９、３３、３４を流れる作動油の流れが制御される。
【００４４】
図５（Ｂ）及び（Ｃ）に示す如く、接続機構１７内にて、油圧配管２９、３３、３７は、三股に分かれる金属継手４６を介して接続され、金属継手４６内には油圧制御弁４７が配置される。そして、油圧制御弁４７は、手動ネジ４４の回転に連動して、矢印４８にて示すように金属継手４６内をスライドする。図５（Ｂ）に示すように、例えば、手動ネジ４４を右回転させることで、油圧制御弁４７は油圧配管２９側へとスライドし、作動油の流路が狭まり、油圧配管３３のカップラー３５に加わる油圧が低減し、油圧ホース１５の着脱が容易に行われる。
【００４５】
一方、図５（Ｃ）に示すように、例えば、手動ネジ４４を左回転させることで、油圧制御弁４７は油圧配管３７側へとスライドし、作動油の流路が広がる。つまり、油圧ホース１５を装着し、トレーラ３側へ作動油を送り込む際には、図５（Ｃ）に示す状態とすることで油圧のロスが防止される。
【００４６】
そして、作動油が、実質、油圧配管３７内には流れ込まないように油圧制御弁４７は設計されるが、油圧制御弁４７をスライドさせる際に、若干量の作動油が油圧配管３７へと排出される。そのため、前述した収納サブタンク１９が、油圧配管３７等の先に配置されることで、作動油が運搬用車両１外へと流れ出すことが防止され、作動油により下水道、河川や海の環境悪化を招くことはない。そして、図５（Ａ）〜（Ｃ）に示す接続機構１７は、図４（Ａ）〜（Ｃ）に示す接続機構１７と比較して、作動油の油圧の微調整が容易であり、作動油の排出量も低減されるというメリットがある。そのため、図５（Ａ）〜（Ｃ）に示す油圧制御弁４７を用いる際には、作動油の流出が微小であるため、油圧配管３７の先端に片側が封止された作動油収納ホースを取り付けるような、簡易な構造とする場合でも良い。また、作動油が、トレーラ３側からトラクタ２側へ流れ込む流路においても、油圧配管２９、３４、３８、金属継手及び手動ネジ４５に連動する油圧制御弁により同様な機構が構成されている。
【００４７】
尚、本実施の形態では、トラクタ２にて自動車運搬用のトレーラ３を牽引する場合について説明したが、この場合に限定するものではない。例えば、トラクタにて建設機械、液体燃料、コンテナ等を積載したトレーラを牽引する場合でも良い。つまり、トラクタとトレーラとが分離可能な運搬用車両であり、トレーラ側の油圧駆動回路機構が、トラクタ側から供給される作動油により可動する場合において、両者間を連結する油圧ホース及びその接続機構が、前述したように着脱自在であり、作動油漏れを防止する機構となることで、同様な効果が得られる。
【００４８】
また、トラクタ２の運転席（右側面）側に着脱可能な油圧ホース１５、１６、油圧ホース収納ボックス１８及び接続機構１７が配置される場合について説明したが、この場合に限定するものではない。例えば、トラクタ２の左側面側に、前述したそれらの機構が配置される場合でも同様な効果が得られる。
【００４９】
また、図４に示すように手動レバー３９、４０に連動する油圧制御弁４１や図５に示すように手動ネジ４４、４５に連動する油圧制御弁４７により、接続機構１７に加わる作動油の油圧を調整する場合について説明したが、この場合に限定するものではない。例えば、油圧配管３３、３４に押しボタン式の油圧制御弁を設け、そのボタンを押すことで、油圧配管３３、３４の作動油の油圧を調整する場合でも良い。この場合においても、油圧制御弁近傍に、油圧制御弁の動作により排出される作動油が流れ込む油圧配管３７、３８や収納サブタンク１９を配置することで、車外へと作動油が流れ出すことが防止される。
【００５０】
また、油圧ホース１５、１６は、トレーラ３側の油圧駆動回路機構の接続機構１７に対して着脱可能な場合について説明したが、この場合に限定するものではない。例えば、油圧ホース１５、１６は、トラクタ２側の油圧配管２８、３０に対しても着脱可能な構造とする場合でも良い。この場合には、油圧ホース１５、１６との着脱領域近傍の油圧配管２８、３０にも前述した接続機構１７と同様な機構を設けることで、作動油漏れが防止される。その他、本発明の要旨を逸脱しない範囲で、種々の変更が可能である。
【符号の説明】
【００５１】
１  運搬用車両
２  トラクタ
３  トレーラ
４  シャーシ
１５、１６  油圧ホース
１７  接続機構
１８  油圧ホース収納ボックス
１９  収納サブタンク
３９、４０  手動レバー
４１、４７  油圧制御弁
４２、４６  金属継手
４４、４５  手動ネジ
【図１】
2011189755.tif 000003
【図２】
2011189755.tif 000004
【図３】
2011189755.tif 000005
【図４】
2011189755.tif 000006
【図５】
2011189755.tif 000007
【図６】
2011189755.tif 000008
【手続補正書】
【提出日】平成22年11月30日(2010.11.30)
【手続補正１】
【補正対象書類名】特許請求の範囲
【補正対象項目名】請求項１
【補正方法】変更
【補正の内容】
【請求項１】
エンジンにて自走可能なトラクタと、
前記トラクタにより牽引されるトレーラと、
前記トレーラを駆動させる油圧駆動回路機構と、
前記トラクタ側に配置され、前記油圧駆動回路機構に供給される作動油を貯留する作動油タンクと、
前記トラクタ側に配置され、前記作動油タンク内の作動油を吸い込み、圧力を加えた前記作動油を前記油圧駆動回路機構へ供給する油圧ポンプと、
前記トラクタ側に配置され、前記油圧ポンプからの前記作動油が流れ、その先端にカップラーが取り付けられる着脱可能な油圧ホースとを有し、
前記油圧ホースは、前記トラクタのシャーシの側面から導出し、前記シャーシの側面近傍に配置される前記トレーラの前記油圧駆動回路機構の接続機構に対して、前記トレーラを駆動させるときに前記油圧ホースが装着され、
前記トラクタにより前記トレーラを牽引するときは、前記油圧ホースは、前記接続機構から取り外されることを特徴とする運搬用車両。